(57)【要約】【課題】識別仕様の変更が短時間で確実にできるようにする。【解決手段】紙幣挿入口２、金庫などに臨んで設けられた紙幣排出口３、紙幣挿入口２に挿入された紙葉Ｍを紙幣挿入口２と紙幣排出口３との間に形成された紙幣搬送路４に沿って搬送する紙幣搬送手段５、紙幣挿入口２に挿入された紙葉Ｍの有無を判定する紙幣検出手段６、紙幣搬送路４に沿って搬送されている紙葉Ｍの情報を収集する光学センサ７、磁気センサ８、センサ７、８が紙葉Ｍから収集した情報と記憶手段に記憶し設定してある基準情報とを比較して紙葉Ｍの真贋を判定する比較判定制御部９を備えた紙葉類識別装置において、識別仕様変更用の紙葉Ｍ２が紙幣挿入口２に挿入されたときに、紙葉Ｍ２が保有する情報をセンサ７、８が収集して比較判定制御部９を設定モードにすると共に、センサ７、８が収集した情報を新たな基準情報として記憶手段に記憶・設定して識別仕様を変更する機能を備えるようにした紙葉類識別装置。【選択図】　　　　図１
2004086839.tif 000002
【特許請求の範囲】
【請求項１】
紙葉類の提示を受ける紙葉類提示部と、紙葉類提示部への紙葉類の提示の有無を検出する紙葉類検出手段と、紙葉類提示部の紙葉類を搬送路に沿って搬送する搬送手段と、搬送路に臨んで設置されて紙葉類から情報を読み取る情報収集手段と、情報収集手段が紙葉類から読み取り収集した情報と、記憶手段に記憶し設定してある基準情報とを比較して紙葉類提示部に提示された紙葉類の真贋を判定する比較判定制御部とを有する紙葉類識別装置において、情報収集手段により収集される情報として比較判定制御部を設定モードにする情報と、記憶手段に新たに基準情報として記憶・設定する情報とを備えた識別仕様変更用紙葉類が紙葉類提示部に提示されたとき、識別仕様変更用紙葉類が保有する情報を情報収集手段が読み取り収集して比較判定制御部を設定モードにすると共に、情報収集手段が読み取り収集した情報を新たな基準情報として記憶手段に記憶・設定して識別仕様を変更する機能を備えたことを特徴とする紙葉類識別装置。
【請求項２】
紙葉類の真贋を判定するために記憶手段に記憶・設定される基準情報が、識別仕様変更用紙葉類により追加・設定可能に設けられたことを特徴とする請求項１記載の紙葉類識別装置。
【請求項３】
比較判定制御部により真贋が判定される一般の紙葉類と区別するための識別穴または切欠きが設けられた識別仕様変更用紙葉類が、識別仕様の変更に用いられることを特徴とする請求項１または２記載の紙葉類識別装置。
【請求項４】
比較判定制御部により真贋が判定される一般の紙葉類と区別するための印刷が施された識別仕様変更用紙葉類が、識別仕様の変更に用いられることを特徴とする請求項１または２記載の紙葉類識別装置。
【請求項５】
記憶手段に新たに基準情報として記憶・設定する情報を所定時間経過時に破棄し、記憶手段に現在記憶・設定している基準情報を前記所定時間経過時に基準情報として復活させるための情報が備えられた識別仕様変更用紙葉類が、識別仕様の変更に用いられることを特徴とする請求項１〜４何れかに記載の紙葉類識別装置。
【請求項６】
識別仕様変更用紙葉類に備えられた基準情報が記憶手段に記憶・設定されたときの識別仕様変更用紙葉類の返却時に、搬送手段を少なくとも一度は停止させて返却動作を中断し、その後搬送手段を再度駆動して識別仕様変更用紙葉類を返却する返却プログラムが比較判定制御部に備えられたことを特徴とする請求項１〜５何れかに記載の紙葉類識別装置。
【請求項７】
比較判定制御部と通信可能に設けられた表示手段と取消手段とを備え、識別仕様変更用紙葉類が紙葉類提示部に提示されたときには識別仕様変更用紙葉類の提示により識別仕様が変更されようとしている紙葉類の種別が表示手段により表示され、識別仕様が変更されようとしている紙葉類の種別が表示手段により表示されているときに取消手段が操作されると、識別仕様変更用紙葉類の提示により変更されようとしている識別仕様を取り消して現在の識別仕様を維持させる仕様維持プログラムが比較判定制御部に備えられたことを特徴とする請求項１〜６何れかに記載の紙葉類識別装置。
【発明の詳細な説明】
【０００１】
【発明の属する技術分野】
本発明は、紙幣、商品券、プリペイドカードなどの紙葉類を識別する装置に関するものである。
【０００２】
【従来の技術】
自動販売機、遊技機、ＡＴＭ機、自動両替機などに設けられた紙幣識別装置においては、提示された紙幣の光学的情報、磁気的情報などを収集し、記憶手段に予め記憶・設定している判定基準に照らし合わせて、提示された紙幣が正規の紙幣であるのか、偽札であるのかをその都度判定し、正規の紙幣だけを取り込み、そうでないものは返却などができるようになっている。
【０００３】
しかし、プリンタの高性能化に伴って、紙幣が簡単に、しかも高い精度で偽造される危険性が高まっている。そのため、紙幣識別装置においても偽札が登場する度に、その偽札が確実に検出できるように、識別仕様を変更する必要がある。
【０００４】
また、紙幣が新たに発行されたときにも識別仕様を変更し、その新札が提示されたときには正規の紙幣として取り込まれるようにする必要がある。
【０００５】
紙幣などを始めとする紙葉類の識別仕様を変更する技術としては、例えば識別を行う際の仕様を、今から変更する旨を伝えるための認承カードと、その認承カードに続いて使用し、識別装置の記憶手段に新たに記憶・設定するための情報を備えた設定カードとを利用して、識別仕様を変更するようにした技術がある（例えば、特許文献１参照。）。
【０００６】
【特許文献１】
特開平１１−３５３５１７号公報（段落番号０００８など）
【０００７】
【発明が解決しようとする課題】
しかし、特許文献１に提案された紙葉類の識別仕様変更技術は、２枚のカードを使用して行うものであったので、操作が面倒であり、例えば台間玉貸機が１００台以上もある遊技ホールにおいて、台間玉貸機に組み込まれた紙幣識別装置の識別仕様を変更する際には、仕様の変更作業に膨大な時間を要すると云った問題点があった。そのため、識別仕様の変更が短時間で確実にできるようにする必要があり、その解決が課題となっていた。
【０００８】
【課題を解決するための手段】
本発明は、上記従来技術の課題を解決するため、紙葉類の提示を受ける紙葉類提示部と、紙葉類提示部への紙葉類の提示の有無を検出する紙葉類検出手段と、紙葉類提示部の紙葉類を搬送路に沿って搬送する搬送手段と、搬送路に臨んで設置されて紙葉類から情報を読み取る情報収集手段と、情報収集手段が紙葉類から読み取り収集した情報と、記憶手段に記憶し設定してある基準情報とを比較して紙葉類提示部に提示された紙葉類の真贋を判定する比較判定制御部とを有する紙葉類識別装置において、情報収集手段により収集される情報として比較判定制御部を設定モードにする情報と、記憶手段に新たに基準情報として記憶・設定する情報とを備えた識別仕様変更用紙葉類が紙葉類提示部に提示されたとき、識別仕様変更用紙葉類が保有する情報を情報収集手段が読み取り収集して比較判定制御部を設定モードにすると共に、情報収集手段が読み取り収集した情報を新たな基準情報として記憶手段に記憶・設定して識別仕様を変更する機能を備えるようにした第１の構成の紙葉類識別装置と、
【０００９】
前記第１の構成の紙葉類識別装置において、紙葉類の真贋を判定するために記憶手段に記憶・設定される基準情報を、識別仕様変更用紙葉類により追加・設定可能に設けるようにした第２の構成の紙葉類識別装置と、
【００１０】
前記第１または第２の構成の紙葉類識別装置において、比較判定制御部により真贋が判定される一般の紙葉類と区別するための識別穴または切欠きが設けられた識別仕様変更用紙葉類を、識別仕様の変更に用いるようにした第３の構成の紙葉類識別装置と、
【００１１】
前記第１または第２の構成の紙葉類識別装置において、比較判定制御部により真贋が判定される一般の紙葉類と区別するための印刷が施された識別仕様変更用紙葉類を、識別仕様の変更に用いるようにした第４の構成の紙葉類識別装置と、
【００１２】
前記第１〜第４何れかの構成の紙葉類識別装置において、記憶手段に新たに基準情報として記憶・設定する情報を所定時間経過時に破棄し、記憶手段に現在記憶・設定している基準情報を前記所定時間経過時に基準情報として復活させるための情報が備えられた識別仕様変更用紙葉類を、識別仕様の変更に用いるようにした第５の構成の紙葉類識別装置と、
【００１３】
前記第１〜第５何れかの構成の紙葉類識別装置において、識別仕様変更用紙葉類に備えられた基準情報が記憶手段に記憶・設定されたときの識別仕様変更用紙葉類の返却時に、搬送手段を少なくとも一度は停止させて返却動作を中断し、その後搬送手段を再度駆動して識別仕様変更用紙葉類を返却する返却プログラムを比較判定制御部に備えるようにした第６の構成の紙葉類識別装置と、
【００１４】
前記第１〜第６何れかの構成の紙葉類識別装置において、比較判定制御部と通信可能に設けられた表示手段と取消手段とを備え、識別仕様変更用紙葉類が紙葉類提示部に提示されたときには識別仕様変更用紙葉類の提示により識別仕様が変更されようとしている紙葉類の種別が表示手段により表示され、識別仕様が変更されようとしている紙葉類の種別が表示手段により表示されているときに取消手段が操作されると、識別仕様変更用紙葉類の提示により変更されようとしている識別仕様を取り消して現在の識別仕様を維持させる仕様維持プログラムを比較判定制御部に備えるようにした第７の構成の紙葉類識別装置と、
を提供するものである。
【００１５】
【発明の実施の形態】
以下、本発明の実施形態を図面に基づいて詳細に説明する。
なお、図１〜図３に示した本発明の紙葉類識別装置１は、紙幣挿入口（解決手段で云う紙葉類提示部に相当）２に挿入提示された紙葉Ｍが正規の紙幣であるか否かを識別する装置、すなわち紙幣識別装置である。
【００１６】
図１に示したように、本発明の紙葉類識別装置１は、紙幣挿入口２と、図示しない金庫（紙葉Ｍを金庫まで搬送する紙幣搬送装置の紙幣取込口であっても良い）などに臨んで設けられた紙幣排出口３と、紙幣挿入口２に挿入された紙葉Ｍを紙幣挿入口２と紙幣排出口３との間に形成された紙幣搬送路４に沿って搬送し、紙幣排出口３から排出などするための紙幣搬送手段５と、紙幣挿入口２に挿入された紙葉Ｍの有無を判定するための紙幣検出手段６と、紙幣搬送路４に沿って搬送されている紙葉Ｍの光学的情報を収集する光学センサ７と、磁気的情報を収集する磁気センサ８と、比較判定制御部９とを備えて構成されている。
【００１７】
比較判定制御部９はマイコンなどから構成され、その図示しない記憶手段には、紙幣挿入口２に例えば図２（Ａ）に示した紙幣である紙葉Ｍ１が挿入されると、紙幣搬送手段５を駆動して光学センサ７、磁気センサ８により紙葉Ｍ１が有する光学的情報ｍ１ａ、磁気的情報ｍ１ｂを収集すると共に、その収集した光学的情報ｍ１ａ、磁気的情報ｍ１ｂを予め設定した基準情報と比較し、紙葉Ｍ１が正規の紙幣であると判定できたときにはその紙葉Ｍ１を紙幣排出口３から排出するように紙幣搬送手段５を駆動し、紙葉Ｍ１が正規の紙幣であると判定できないときにはその紙葉Ｍ１を紙幣挿入口２から返却するように紙幣搬送手段５を逆転駆動するための制御プログラムと基準情報とを記憶してある。
【００１８】
また、予め設定した所定の情報、例えば図２（Ｂ）に示したように１万円札の識別仕様を変更するものであることを示すと共に、比較判定制御部９を設定モードに変更するための光学的情報Ｍ２Ａ、磁気的情報Ｍ２Ｂを有する紙葉Ｍ２が紙幣挿入口２に挿入されたときには、光学的情報Ｍ２Ａ、磁気的情報Ｍ２Ｂを有さない、すなわち識別仕様変更用の紙葉Ｍ２ではなく、紙幣（偽札を含む）である紙葉Ｍ１の光学的情報ｍ１ａ、磁気的情報ｍ１ｂを収集してその真贋を判定する際の基準情報を変更するための、例えば図３に示した制御プログラムも比較判定制御部９の図示しない記憶手段には記憶されている。
【００１９】
すなわち、紙葉類識別装置１においては、紙幣挿入口２に紙葉Ｍが挿入されると、紙幣検出手段６により紙葉Ｍの挿入が検出され、ステップＳ１からステップＳ２に移行して紙幣搬送手段５が駆動され、続いてステップＳ３において光学センサ７、磁気センサ８により識別仕様変更用の紙葉Ｍ２であることを示す光学的情報Ｍ２Ａ、磁気的情報Ｍ２Ｂが収集（検出）される。
【００２０】
そして、その収集した情報に基づいて、紙幣挿入口２に挿入された紙葉Ｍが所定の光学的情報Ｍ２Ａ、磁気的情報Ｍ２Ｂを有する識別仕様変更用の紙葉Ｍ２であるか否かがステップＳ４において判定され、イエスと判定されたときにはステップＳ１０に移行し、そうでないときにはステップＳ５に移行する。
【００２１】
ステップＳ４においてノー、すなわち紙幣挿入口２に挿入された紙葉Ｍは所定の光学的情報Ｍ２Ａ、磁気的情報Ｍ２Ｂを備えた識別仕様変更用の紙葉Ｍ２ではなく、通常の紙幣（偽札を含む）である紙葉Ｍ１であると判定されて移行したステップＳ５においては、紙幣搬送手段５を所定の要領で駆動して紙葉Ｍ１を搬送し、続くステップＳ６では光学センサ７、磁気センサ８により紙葉Ｍ１の光学的情報ｍ１ａ、磁気的情報ｍ１ｂを収集する。
【００２２】
そして、ステップＳ７に移行し、紙幣検出手段６で収集した紙葉Ｍ１の光学的情報ｍ１ａ、磁気的情報ｍ１ｂと、図示しない記憶手段に予め記憶してある基準情報とを比較し、紙幣挿入口２に挿入された紙葉Ｍ１が正規の紙幣であると判定されたときには、ステップＳ８に移行して紙幣搬送手段５を駆動し、その紙葉Ｍ１を紙幣排出口３から排出して図示しない金庫などに取り込む。
【００２３】
しかし、ステップＳ７において紙葉Ｍ１が正規の紙幣であると確認できないときには、ステップＳ９に移行して紙幣搬送手段５を逆転駆動し、その紙葉Ｍ１を紙幣挿入口２から返却する。
【００２４】
また、前記ステップＳ４においてイエスと判定され、ステップＳ１０に移行したときには、ステップＳ１０において所定の要領で紙幣搬送手段５を駆動し、続くステップＳ１１に移行して光学センサ７、磁気センサ８により、光学的情報Ｍ２Ａ、磁気的情報Ｍ２Ｂを備えた識別仕様変更用の紙葉Ｍ２が有する光学的情報ｍ２ａ、磁気的情報ｍ２ｂを収集する。
【００２５】
なお、識別仕様変更用の紙葉Ｍ２に設ける光学的情報ｍ２ａ、磁気的情報ｍ２ｂとしては、紙幣である紙葉Ｍ１が有する光学的情報ｍ１ａ、磁気的情報ｍ１ｂと違って、印刷技術などを利用して紙葉表面に印刷形成した光学的バーコード、磁気的バーコードなどにより、予め設定して図示しない記憶手段に記憶してある基準情報の何れかを与えるものであっても良いし、反射光や透過光の位置による光量の変化パターン、スペクトル的情報、磁気の位置による変化パターンなどにより、基準情報を直接与えるものであっても良い。
【００２６】
そして、ステップＳ１２に移行し、ステップＳ１１において紙葉Ｍ２から収集した光学的情報ｍ２ａ、磁気的情報ｍ２ｂが、予め設定して図示しない記憶手段に記憶してある変更仕様１、２、３の内の変更仕様１であるか否かを判定し、イエスと判定されたときにはステップＳ１３に移行して、図示しない記憶手段に記憶する基準情報を変更仕様１に基づいて記憶・設定する。
【００２７】
続いて、ステップ１４に移行し、紙葉Ｍ２を所定の返却方法、例えば紙葉Ｍ２の一部が紙幣挿入口２から突出した状態で紙幣搬送手段５を一度停止させて返却動作を１回中断し、すぐに返却動作を再開して返却することで、紙幣挿入口２に挿入した紙葉Ｍが通常の紙幣（偽札を含む）ではなく、識別仕様変更用の紙葉Ｍ２であり、紙葉Ｍ２が紙幣挿入口２に挿入されたことにより、比較判定制御部９の識別のための仕様が変更されたことを作業者に知らせる構成となっている。
【００２８】
ステップＳ１２でノーと判定されたときにはステップＳ１５に移行し、ステップＳ１１で収集した光学的情報ｍ２ａ、磁気的情報ｍ２ｂが、予め設定して図示しない記憶手段に記憶してある変更仕様１、２、３の内の変更仕様２であるか否かを判定し、イエスと判定されたときにはステップＳ１６に移行して、図示しない記憶手段に記憶する基準情報を変更仕様２に基づいて記憶・設定する。
【００２９】
続いて、ステップ１７に移行し、紙葉Ｍ２を所定の返却方法、例えば紙葉Ｍ２の一部が紙幣挿入口２から突出した状態で紙幣搬送手段５を二度停止させて返却動作を２回停止し、その都度すぐに返却動作を再開して返却することで、紙幣挿入口２に挿入した紙葉Ｍが通常の紙幣（偽札を含む）ではなく、識別仕様変更用の紙葉Ｍ２であり、紙葉Ｍ２が紙幣挿入口２に挿入されたことにより、比較判定制御部９の識別のための仕様が変更されたことを作業者に知らせる構成となっている。
【００３０】
ステップＳ１５でノーと判定されたときにはステップＳ１８に移行して、図示しない記憶手段に記憶する基準情報を変更仕様３に基づいて設定し、続いてステップ１９に移行して紙葉Ｍ２を所定の返却方法、例えば紙葉Ｍ２の一部が紙幣挿入口２から突出して状態で紙幣搬送手段５を三度停止させて返却動作を３回停止し、その都度すぐに返却動作を再開して返却することで、紙幣挿入口２に挿入した紙葉Ｍが通常の紙幣（偽札を含む）ではなく、識別仕様変更用の紙葉Ｍ２であり、紙葉Ｍ２が紙幣挿入口２に挿入されたことにより、比較判定制御部９の識別のための仕様が変更されたことを作業者に知らせる構成となっている。
【００３１】
以上説明したように、本発明の紙葉類識別装置１によれば、識別仕様変更用紙葉であることを示す光学的情報Ｍ２Ａ、磁気的情報Ｍ２Ｂを備えた紙葉Ｍ２を紙幣挿入口２に挿し込むだけで、紙葉類識別装置１の図示しない記憶手段に記憶・設定しておく基準情報を変更することが可能であり、紙葉類識別装置１が多数設置されていても容易に識別仕様を変更することができる。
【００３２】
したがって、偽札が使用され始めたときには、その偽札を撥ねることができる識別仕様に変更するための紙葉Ｍ２を作成し、そうして作成した紙葉Ｍ２を紙葉類識別装置１の紙幣挿入口２に挿し込むだけで、紙葉類識別装置１は偽札を取り込まないようになるので、偽札対策が簡単に行えるようになる。
【００３３】
また、新規に紙幣が発行されたときには、その新札を正規の紙幣として取り込むための識別仕様に変更するための紙葉Ｍ２を作成し、そうして作成した紙葉Ｍ２を紙葉類識別装置１の紙幣挿入口２に挿し込むだけで、紙葉類識別装置１は新規発行の紙幣を識別して取り込むようになり、識別機構を更新する必要がない。
【００３４】
また、偽造防止のために新しい印刷技術を駆使した新札が発行され、中央銀行がその新札よりも技術的に偽造し易い旧札の回収を図っているときなどでは、その旧札を撥ねることができる識別仕様に変更するための紙葉Ｍ２を作成し、そうして作成した紙葉Ｍ２を紙葉類識別装置１の紙幣挿入口２に挿し込むだけで、紙葉類識別装置１は旧札を取り込まないようになるので、旧札の流通が抑えられ、回収を早めることができる。
【００３５】
なお、本発明は上記実施形態に限定されるものではないので、特許請求の範囲に記載の趣旨から逸脱しない範囲で各種の変形実施が可能である。
【００３６】
例えば、識別仕様変更用の紙葉Ｍ２としては、図２（Ｃ）に示したように、識別仕様変更用紙葉であることを示し、比較判定制御部９を設定モードに変更するための光学的情報Ｍ２Ａとしては、貫通した複数個の穴（切欠きであっても良い）を使用することも可能である。
【００３７】
識別仕様変更用の紙葉Ｍ２をこのような構成とすることにより、紙幣挿入口２に挿入する紙葉Ｍが識別仕様変更用の紙葉Ｍ２であることが一目瞭然となり、識別機能をチェックするときなどに、模擬紙幣の紙葉などと間違えて識別仕様変更用の紙葉Ｍ２を紙幣挿入口２に挿入することが防止でき、知らないうちに比較判定制御部９の識別仕様が変更になっていた、などと云った不都合が回避できる。
【００３８】
また、紙葉Ｍが識別仕様変更用の紙葉Ｍ２であることを明示するために、「識別仕様変更用」などと印刷表示することも可能である。
【００３９】
また、識別仕様変更用の紙葉Ｍ２としては、変更後の識別情報を有する光学的情報ｍ２ａ、磁気的情報ｍ２ｂなどの中に、比較判定制御部９の図示しない記憶手段に新たに記憶・設定する新しい規準情報は所定期間、例えば１年間（期間は月単位などで変更可能としても良い）のみ有効で、その後は現在の基準情報に復帰するための情報を加えて置くことも可能である。
【００４０】
識別仕様変更用の紙葉Ｍ２をこのような構成とすることにより、例えば偽造犯が逮捕され、偽札も押収されるなどして偽札事件が解決し、偽札が流通する機会が減少した後も、厳しい基準情報に照らして紙葉Ｍの識別を行い、正規の紙幣である紙葉Ｍ１に対しても正規の紙幣と判定されず、紙幣挿入口２から正規の紙幣の紙葉Ｍ１が返却される不都合が起こる回数を減らすことができる。
【００４１】
また、比較判定制御部９と通信可能に液晶などからなる表示手段１０と押しボタンスイッチなどからなる決定／取消手段１１とを設け、紙幣挿入口２に正規の紙幣が挿入されたときにはその金種を表示手段１０に表示し、紙幣挿入口２に識別仕様を変更するための紙葉Ｍ２が挿入されて比較判定制御部９の図示しない記憶手段に新たな基準情報が記憶・設定され、識別仕様が変更されようとしているときにはその識別仕様が変更されようとしている金種を表示手段１０に点滅表示などして、識別仕様の変更がなされようとしていることを通知し、そのような状態のときに決定／取消手段１１が所定の短時間、例えば３秒以内押圧操作されると、新たな基準情報を記憶手段に記憶・設定して識別仕様を変更すると共に、識別仕様の変更に使用された紙葉Ｍ２を紙幣挿入口２より返却する制御プログラムを、比較判定制御部９の図示しない記憶手段に記憶させておくことも可能である（この場合は、紙葉Ｍ２の返却時に一旦停止させなくても良い）。
【００４２】
また、識別仕様変更用の紙葉Ｍ２が紙幣挿入口２に挿入され、識別仕様が変更されようとしている金種が表示手段１０に点滅表示などされているときに、決定／取消手段１１が所定の長時間、例えば５秒を超えて押し続けられると、表示手段１０にキャンセル、×などを表示して、紙葉Ｍ２により変更されようとしている識別仕様がキャンセルされたことを示すと共に、現在の識別仕様を維持して識別仕様変更用の紙葉Ｍ２を紙幣挿入口２から返却するための制御プログラムを、比較判定制御部９の図示しない記憶手段に記憶させておくことも可能である。
【００４３】
このような構成としておくことにより、識別機能をチェックするときなどに、▲１▼模擬紙幣の紙葉などと間違えて識別仕様変更用の紙葉Ｍ２を紙幣挿入口２に挿入する、▲２▼異なった金種用の紙葉Ｍ２を紙幣挿入口２に挿入する、などの誤った操作があっても、表示手段１０の表示から操作の手違いが発見でき、決定／取消手段１１の適宜の操作により現在の識別仕様を維持することが可能になる。
【００４４】
また、紙葉Ｍが識別仕様変更用の紙葉Ｍ２であることを示す光学的情報Ｍ２Ａ、磁気的情報Ｍ２Ｂを光学センサ７、磁気センサ８が検出するのは、紙葉類識別装置１の電源投入から所定時間、例えば電源投入から３０分以内に限ってだけ可能にしても良い。このような構成とすることにより、遊技客が紙幣挿入口２に挿入する紙葉Ｍ１の真贋の識別作業が速やかに行えると云った利点がある。
【００４５】
また、偽造された偽札に正規の紙幣と大きく異なる光学的特徴、若しくは磁気的特徴があるときには、入手した偽札に識別仕様変更用の紙葉Ｍ２であることを示す光学的情報Ｍ２Ａ、磁気的情報Ｍ２Ｂを印刷などの技術を利用して設けると共に、その紙葉Ｍ２の正規の紙幣と大きく異なる光学的情報ｍ２ａ、磁気的情報ｍ２ｂを光学センサ７、磁気センサ８により収集し、その収集した情報が得られた紙葉を偽札と判定するように比較判定制御部９を構成することも可能である。
【００４６】
【発明の効果】
以上説明したように、本発明の紙葉類識別装置によれば、１枚の識別仕様変更用紙葉により識別仕様を変更することができるので、識別仕様を変更する紙葉類識別装置の設置台数が多くても、識別仕様を速やかに変更することができる。
【００４７】
また、紙葉類の真贋を判定するために記憶手段に記憶・設定する基準情報を、識別仕様変更用紙葉類により追加・設定可能にした紙葉類識別装置においては、新しい紙幣が発行されたときにはその新規に発行される紙幣を正規の紙幣と識別して取り込むための仕様変更が可能であり、識別機構を更新する必要がない。
【００４８】
また、比較判定制御部により真贋が判定される一般の紙葉類と区別するための識別穴または切欠きを備えた識別仕様変更用紙葉類により識別仕様を変更するようにした紙葉類識別装置においては、識別仕様変更用紙葉類と真贋を識別する紙幣とは一目瞭然であるので、両者を間違えることはなく、したがって識別機能をチェックするときなどに、模擬紙幣の紙葉などと間違えて識別仕様変更用紙葉類を紙葉類提示部に提示することが防止でき、知らないうちに比較判定制御部の識別仕様が変更になっていた、などと云った不都合が回避できる。
【００４９】
また、比較判定制御部により真贋が判定される一般の紙葉類と区別するための印刷を施した識別仕様変更用紙葉類により識別仕様を変更するようにした紙葉類識別装置においても、識別仕様変更用紙葉類と真贋を識別する紙幣とは一目瞭然であるので、識別仕様変更用紙葉類に穴などを設けた紙葉類識別装置と同様の作用効果が得られる。
【００５０】
また、記憶手段に新たに基準情報として記憶・設定する情報を所定時間経過時に破棄し、記憶手段に現在記憶・設定している基準情報を前記所定時間経過時に基準情報として復活させるための情報を備えた識別仕様変更用紙葉類により識別仕様を変更するようにした紙葉類識別装置においては、例えば偽造犯が逮捕され、偽札も押収されるなどして偽札事件が解決し、偽札が流通する機会が減少した後も、厳しい基準情報に照らして紙幣の識別を行い、正規の紙幣が正規の紙幣と判定されずに返却される、と云った不都合が起こる回数を減らすことができる。
【００５１】
また、識別仕様変更用紙葉類に備えられた基準情報が記憶手段に記憶・設定されたときの識別仕様変更用紙葉類の返却時に、搬送手段を少なくとも一度は停止させて返却動作を中断し、その後搬送手段を再度駆動して識別仕様変更用紙葉類を返却する返却プログラムを比較判定制御部に備えるようにした紙葉類識別装置においては、紙葉類提示部に提示した紙葉類が通常の紙幣（偽札を含む）ではなく、識別仕様変更用紙葉類であり、その紙葉類の提示により比較判定制御部の識別のための仕様が変更されたことを、作業者は紙葉類を受け取るときに認識することができる。
【００５２】
また、比較判定制御部と通信可能に設けられた表示手段と取消手段とを備え、識別仕様変更用紙葉類が紙葉類提示部に提示されたときには識別仕様変更用紙葉類の提示により識別仕様が変更されようとしている紙葉類の種別が表示手段により表示され、識別仕様が変更されようとしている紙葉類の種別が表示手段により表示されているときに取消手段が操作されると、識別仕様変更用紙葉類の提示により変更されようとしている識別仕様を取り消して現在の識別仕様を維持させる仕様維持プログラムを比較判定制御部に備えるようにした紙葉類識別装置においては、識別機能をチェックするときなどに、模擬紙幣の紙葉などと間違えて識別仕様変更用紙葉類を紙葉類提示部に提示しても、表示手段の表示から操作の手違いを発見して仕様の変更を取り消すことが可能であり、誤って識別仕様を変更すると云ったことがなくなる。
【図面の簡単な説明】
【図１】本発明の紙葉類識別装置の構成例を示す説明図である。
【図２】紙葉の説明図であり、（Ａ）は紙幣である紙葉、（Ｂ）は識別仕様変更用の紙葉、（Ｃ）は他の識別仕様変更用の紙葉である。
【図３】比較判定制御部による制御の一例を示すフローチャートである。
【符号の説明】
１　紙葉類識別装置
２　紙幣挿入口
３　紙幣排出口
４　紙幣搬送路
５　紙幣搬送手段
６　紙幣検出手段
７　光学センサ
８　磁気センサ
９　比較判定制御部
１０　表示手段
１１　決定／取消手段
Ｍ　紙葉
Ｍ１　（紙幣である）紙葉
ｍ１ａ　光学的情報
ｍ１ｂ　磁気的情報
Ｍ２　（識別仕様変更用の）紙葉
ｍ２ａ、Ｍ２Ａ　光学的情報
ｍ２ｂ、Ｍ２Ｂ　磁気的情報
【図１】
2004086839.tif 000003
【図２】
2004086839.tif 000004
【図３】
2004086839.tif 000005